(57)【要約】【課題】外壁ユニットを構成する複数の壁パネルを安定した状態で保持し、建物躯体への取付け作業の安全性及び効率性を高めることが可能な外壁ユニット、及び外壁ユニットの取付け方法を提供する。【解決手段】本発明の外壁ユニット１は、連接された複数の壁パネル１０と、締結部材２０と、固定具３０と、複数の壁パネル１０に跨るように配置されるとともに締結部材２０によって固定具３０と共に複数の壁パネル１０に仮固定されて複数の壁パネル１０をユニット化する仮フレーム部材４０と、を備え、固定具３０は仮フレーム部材４０に重ねて配置されており、締結部材２０は、仮フレーム部材４０と固定具３０とを貫通しており、仮フレーム部材４０は、締結部材２０によって、壁パネル１０に対して着脱可能に固定されていることを特徴とする。【選択図】図１
2020159024.tif 000002
【特許請求の範囲】
【請求項１】
連接された複数の壁パネルと、締結部材と、固定具と、前記複数の壁パネルに跨るように配置されるとともに締結部材によって固定具と共に前記複数の壁パネルに仮固定されて該複数の壁パネルをユニット化する仮フレーム部材と、を備え、
前記固定具は前記仮フレーム部材に重ねて配置されており、
前記締結部材は、前記仮フレーム部材と前記固定具とを貫通しており、
前記仮フレーム部材は、前記締結部材によって、前記壁パネルに対して着脱可能に固定されていることを特徴とする外壁ユニット。
【請求項２】
前記仮フレーム部材は、前記壁パネルから前記締結部材を取り外すことなく前記仮フレーム部材を引き抜くことができるよう形成された切欠き状の締結孔を有する、請求項１に記載の外壁ユニット。
【請求項３】
前記仮フレーム部材は、前記締結孔に配置された前記締結部材と、該締結部材を両側から挟み込む前記締結孔の内縁部との係合により、前記壁パネルと前記仮フレーム部材の間の相対的な左右方向の移動が規制されるよう構成されている、請求項２に記載の外壁ユニット。
【請求項４】
前記仮フレーム部材は、互いに直交する鉛直板部と水平板部を有し、
前記締結孔は、前記鉛直板部の下端部に開口している、請求項２又は３に記載の外壁ユニット。
【請求項５】
請求項１〜４の何れか一項に記載の外壁ユニットを建物の躯体に取り付ける外壁ユニットの取付け方法であって、
前記外壁ユニットの上部にユニット吊上げ部材を着脱可能に装着するステップと、
前記ユニット吊上げ部材を用いて所定の高さに吊り上げた外壁ユニットを、前記躯体の所定の位置に配置するステップと、
前記締結部材を緩めるとともに、前記固定具を回転またはスライドさせて該固定具を躯体に固定された壁受け部に対して係合させるステップと、
前記固定具を前記壁受け部に対して係合させた後に、前記締結部材を緩めた状態を維持しつつ、前記仮フレーム部材を上方に引き抜いて前記壁パネルから取り外すステップと、
前記締結部材を再び締め付けるステップと、を含む、ことを特徴とする外壁ユニットの取付け方法。
【発明の詳細な説明】
【技術分野】
【０００１】
本発明は、外壁パネルの固定構造、及びこの外壁パネルの固定構造を有する建物に関する。
【背景技術】
【０００２】
従来、例えば隣接する建物との距離が小さく足場の設置が困難な住宅の外壁を設置する際には、複数のパネル状の外壁材を予めユニット化した外壁ユニットを、クレーン等を用いて吊り上げて躯体に取り付ける場合がある。このように、外壁をユニット化する場合、フレームを支持材として用いて複数の連接した外壁材を一体化させることが知られている。しかしながら、外壁を躯体に取り付けた後もフレームが外壁材の内面側に残留する場合には、当該フレームが設備配管配線等の障害となったり、熱橋となって断熱性を低下させてしまったりする虞がある。
【０００３】
ここで、特許文献１には、壁用のパネルユニットを簡易にかつ無足場にて建物に取り付
けることを目的とし、吊具を用いてパネルユニットを壁として建物に取り付けるためのパネルユニット工法が開示されている。この方法は、パネルユニットの内面上部側に各壁パネルを建物に対してそのまま固定するための上部下地材を取り付けておき、パネルユニットの内面下部側には各壁パネルを仮連結する定規材（フレーム）を仮止めしておくとともに、建物には各壁パネルの下端部を支持固定するための壁受け部を予め取り付けておき、前記パネルユニットを平置きした状態で前記吊具を装着し、その吊具によりパネルユニットを立て起こしてそのまま吊り上げ、パネルユニットを建物に固定するに際しては、上部下地材をそのまま建物に対して固定し、かつ各壁パネルの下端部を下部下地材（壁受け部）に係止するとともに定規材を取り外すことを特徴としている。
【先行技術文献】
【特許文献】
【０００４】
【特許文献１】特開２００４−３４６６０１号公報
【発明の概要】
【発明が解決しようとする課題】
【０００５】
ところで、特許文献１に記載されている工法では、各壁パネルを仮連結する定規材が、壁パネルにボルト締結された係止具（Ｚ型金物）を介して仮止めされており、係止具を壁パネルに締結するボルトは、定規材から離れた位置に配置されている。そのため、パネルユニットを吊り上げた際に、各壁パネルの位置が安定せず、隣接する壁パネル間に設けられたシーリングが破損したり、取り付け作業の効率が低下したりする虞がある。
【０００６】
それゆえ本発明は、外壁ユニットを構成する複数の壁パネルを安定した状態で保持し、建物躯体への取付け作業の安全性及び効率性を高めることが可能な外壁ユニット、及び外壁ユニットの取付け方法を提供することを目的とする。
【課題を解決するための手段】
【０００７】
本発明に係る外壁ユニットは、連接された複数の壁パネルと、締結部材と、固定具と、前記複数の壁パネルに跨るように配置されるとともに締結部材によって固定具と共に前記複数の壁パネルに仮固定されて該複数の壁パネルをユニット化する仮フレーム部材と、を備え、
前記固定具は前記仮フレーム部材に重ねて配置されており、
前記締結部材は、前記仮フレーム部材と前記固定具とを貫通しており、
前記仮フレーム部材は、前記締結部材によって、前記壁パネルに対して着脱可能に固定されていることを特徴とするものである。
【０００８】
なお、本発明の外壁ユニットは、前記仮フレーム部材は、前記壁パネルから前記締結部材を取り外すことなく前記仮フレーム部材を引き抜くことができるよう形成された切欠き状の締結孔を有することが好ましい。
【０００９】
また、本発明の外壁ユニットは、前記仮フレーム部材は、前記締結孔に配置された前記締結部材と、該締結部材を両側から挟み込む前記締結孔の内縁部との係合により、前記壁パネルと前記仮フレーム部材の間の相対的な左右方向の移動が規制されるよう構成されていることが好ましい。
【００１０】
また、本発明の外壁ユニットは、前記仮フレーム部材は、互いに直交する鉛直板部と水平板部を有し、
前記締結孔は、前記鉛直板部の下端部に開口していることが好ましい。
【００１１】
また、本発明の外壁ユニットの取付け方法は、上記何れかの外壁ユニットを建物の躯体に取り付ける外壁ユニットの取付け方法であって、
前記外壁ユニットの上部にユニット吊上げ部材を着脱可能に装着するステップと、
前記ユニット吊上げ部材を用いて所定の高さに吊り上げた外壁ユニットを、前記躯体の所定の位置に配置するステップと、
前記締結部材を緩めるとともに、前記固定具を回転またはスライドさせて該固定具を躯体に固定された壁受け部に対して係合させるステップと、
前記固定具を前記壁受け部に対して係合させた後に、前記締結部材を緩めた状態を維持しつつ、前記仮フレーム部材を上方に引き抜いて前記壁パネルから取り外すステップと、
前記締結部材を再び締め付けるステップと、を含む、ことを特徴とするものである。
【発明の効果】
【００１２】
本発明によれば、外壁ユニットを構成する複数の壁パネルを安定した状態で保持し、建物躯体への取付け作業の安全性及び効率性を高めることが可能な外壁ユニット、及び外壁ユニットの取付け方法を提供することができる。
【図面の簡単な説明】
【００１３】
【図１】本発明の一実施形態としての外壁ユニットを示す斜視図である。
【図２】（ａ）は、図１の外壁ユニットにおける固定具の動作を説明するための図であり、（ｂ）は、固定具の変形例を示す図である。
【図３】図１の外壁ユニットにおける仮フレーム部材を単独で示す斜視図である。
【図４】図１の外壁ユニットを、建物の躯体の所定の位置に配置した状態を示す斜視図である。
【図５】図４に示す状態から、躯体に設けた壁受け部に固定具を係合させる様子を示す斜視図である。
【図６】図５に示す状態から、仮フレーム部材を取り外す様子を示す斜視図である。
【図７】図１の外壁ユニットにおける壁パネルの取り付けが完了した状態を示す室内側から見た正面図である。
【図８】本発明の他の実施形態としての外壁ユニットを示す斜視図である。
【発明を実施するための形態】
【００１４】
以下、本発明の一実施形態について、図面を参照しつつ説明する。なお、各図において共通する構成には同一の符号を付している。
【００１５】
図１は、本発明に係る外壁ユニット１を示す斜視図であり、外壁ユニット１の上部に装着されるユニット吊上げ部材５０を用いて吊り上げた状態を示している。外壁ユニット１は、連接された複数（本例では３枚）の壁パネル１０と、複数の壁パネル１０に跨るように配置され、締結部材２０によって固定具３０と共に複数の壁パネル１０に仮固定（着脱可能に固定）されて複数の壁パネル１０をユニット化する仮フレーム部材４０と、を備える。
【００１６】
壁パネル１０としては、例えば、軽量気泡コンクリート（以下、「ＡＬＣ」と記載する。「ＡＬＣ」とは「autoclaved light weight concrete」の略である。）製のパネル、耐火性を有する金属系や窯業系のサイディング、押出成形セメント板などを用いることができる。この壁パネル１０を軸組架構の外周部の周囲に連接することにより、外壁の外皮層を形成することができる。
【００１７】
壁パネル１０は、縦方向（鉛直方向）の長さが横方向（水平方向）の幅よりも大きい正面視長方形状のパネル状部材である。壁パネル１０の内部には、雌ねじが設けられたナットが埋め込まれており、ボルト等の締結部材２０を締結することができる。なお、壁パネル１０は、上記のようにナットが埋め込まれた構成に限らず、例えば、壁パネル１０の表面から雄ねじ状の先端部が突出する軸部材が埋め込まれた構成としてもよい。また、その場合、先端部に設けられた雄ねじ部に締結部材としてのナットを締結することで、固定具３０、仮フレーム部材４０等の各種部材を壁パネル１０に締結して固定することができる。
【００１８】
図１に示す外壁ユニット１は、同一形状の３枚の壁パネル１０を横方向に連接した構成としている。なお、左右に隣接する２枚の壁パネル１０の間には、シーリング用のガスケット部材（図示省略）が取り付けられており、外壁ユニット１の防水性を確保している。なお、外壁ユニット１を構成する各壁パネル１０の形状、数、配置等は適宜変更可能である。また、外壁ユニット１は、例えば形状の異なる複数の壁パネル１０を連接下構成としてもよい。
【００１９】
締結部材２０は、固定具３０及び仮フレーム部材４０の鉛直板部４１を貫通して壁パネル１０に締結される。すなわち、締結部材２０は、図２（ａ）に示す正面視で、固定具３０及び仮フレーム部材４０の鉛直板部４１に重なるように配置される。なお、締結部材２０は、例えばボルト又はナットとすることができるが、特に限定されない。また、締結部材２０は、各壁パネル１０の下部において、当該壁パネル１０の幅方向（左右方向）の中心に配置されている。すなわち、壁パネル１０の幅方向（左右方向）の中心で固定具３０及び仮フレーム部材４０が締結される。これにより、外壁ユニット１としての各壁パネル１０の安定性を高めることができるとともに、仮フレーム部材４０を取り外した後も、壁パネル１０をより安定した状態で躯体に固定することができる。なお、締結部材２０の上下方向の位置及び左右方向の位置は図示例に限定されず、適宜変更可能である。
【００２０】
本例の固定具３０は、Ｚ型の金具であり、例えば板状の鋼材等から形成することができる。また、図２（ａ）にも示すように、固定具３０は、締結部材２０を通すための貫通孔３１ａが設けられた平坦な締結板部３１と、段差部３２と、締結板部３１に平行な係合板部３３とを有する。固定具３０は、予め横向きの状態で壁パネル１０に締結固定され、締結部材２０を緩めて、締結部材２０の軸部を中心に９０度下方に回転させることにより、壁受け部７１を壁パネル１０と係合板部３３との間に挟むことができる。つまり、壁受け部７１に対して固定具３０を係合させて、壁パネル１０の前後方向の移動を規制することができる。締結板部３１における係合板部３３の逆側の端部（周縁部）は、半円形状になっており、固定具３０を回転させる際に仮フレーム部材４０の水平板部４２等に干渉しないようにしている。
【００２１】
締結板部３１は、図１に示す状態において仮フレーム部材４０の鉛直板部４１に沿って配置され、仮フレーム部材４０を取り外した後は壁パネル１０の内面１１に沿って配置される。係合板部３３は、躯体に固定された壁受け部７１に対して係合するよう構成されている。壁受け部７１は、断面がＴ字状の金属製の長尺部材の支持金具７０において鉛直に延びる板状部分とすることができる。
【００２２】
なお、本例の固定具３０は、図２（ａ）に示すように、締結部材２０を緩めた状態で、締結部材２０の軸部を中心に９０度下方に回転させることにより、壁受け部７１に対して係合させる構成としているが、これに限られるものではない。例えば、図２（ｂ）に示す固定具３０’のように、締結板部３１の貫通孔３１ａを長孔として、締結部材２０を緩めた状態で固定具３０’を下方にスライドさせることにより、壁受け部７１に対して係合させる構成としてもよい。
【００２３】
仮フレーム部材４０は、外壁ユニット１を構成する全ての壁パネル１０に跨るように配置され、締結部材２０によって固定具３０と共に複数の壁パネル１０それぞれに仮固定される。すなわち、仮フレーム部材４０は、外壁ユニット１を構成する全ての壁パネル１０それぞれに締結固定され、また締結部材２０を緩めることで、壁パネル１０から容易に取外すことができるように構成されている。
【００２４】
図３に示すように、仮フレーム部材４０は、断面（長手方向に対して垂直な横断面）がＬ字状の長尺部材であり、相互に直交する平坦な鉛直板部４１と水平板部４２とを備える。仮フレーム部材４０は、例えば断面がＬ字状の鋼材（アングル材）から形成することができる。鉛直板部４１には、下向きの切欠き状（スリット状）の締結孔４３が形成されている。締結孔４３は、締結部材２０を締結するための貫通孔である。
【００２５】
本例の締結孔４３は、仮フレーム部材４０の長手方向に対して垂直に延在し、鉛直板部４１の下端部に開口しており、締結部材２０としてのボルトの軸部の直径よりも僅かに大きくなるように設定されている。すなわち、壁パネル１０から締結部材２０を取り外すことなく仮フレーム部材４０を上方に引き抜いて壁パネル１０から取り外すことができるように構成されている。また、本例の締結孔４３は、仮フレーム部材４０の長手方向に一定の間隔を空けて１１箇所に形成されている。
【００２６】
水平板部４２には、外壁ユニット１を建物の躯体に取り付ける際に、棒状の工具（シノ、バール等）を差し込んで位置合わせを容易にするためのシノ穴４４と、介錯ロープを連結可能な連結孔４５とが設けられている。このようなシノ穴４４、連結孔４５を利用することにより、吊り上げた外壁ユニット１を建物躯体の所定の位置に配置する作業の効率を向上させることができ、且つ、安全性も高めることができる。
【００２７】
連結孔４５は、水平板部４２の両端部に設けられている。また、本例では、シノ穴４４が長手方向に等間隔で３箇所に設けられており、各シノ穴４４の長手方向位置は、締結部材２０が固定される締結孔４３の長手方向位置に対応している。
【００２８】
なお、本例の仮フレーム部材４０は、締結孔４３に配置された締結部材２０の軸部と、締結部材２０を両側から挟み込む締結孔４３の内縁部４３ａ、４３ｂとの係合により、壁パネル１０と仮フレーム部材４０との間の相対的な左右方向の移動が規制されるよう構成されている。このような構成により、複数の壁パネル１０間の相対的な左右方向の変位や位置ずれを抑制することができ、外壁ユニット１を躯体に取付ける際に、各壁パネル１０の位置が安定するため、取付け作業の安全性及び効率性をさらに高めることができる。また、複数の壁パネル１０間の相対的な変位を抑制することで、隣接する壁パネル１０間に配置されたシーリング用のガスケット部材等が変形したり、破損したりすることも確実に防止することができる。
【００２９】
図１に示すように、本例のユニット吊上げ部材５０は、ワイヤー６０を連結するための左右一対のフック部５１と、複数の壁パネル１０に跨るように配置される平坦な長尺板状の支持板５２とを有する。一対のフック部５１は、支持板５２の長手方向の両端部に設けられている。ユニット吊上げ部材５０を外壁ユニット１に装着した状態で、フック部５１は、外壁ユニット１の左右両端部に配置され、外壁ユニット１の上端よりも上方に突出している。支持板５２は、外壁ユニット１を構成する全て（３枚）の壁パネル１０の内面１１に当接するように配置され、複数の壁パネル１０間の相対的な前後方向の位置ずれを防止している。また、ユニット吊上げ部材５０は、例えば、支持板５２を、各壁パネル１０の上端面に締結固定することで、外壁ユニット１に装着することができる。具体的には、例えば、支持板５２の表面から突出する板状部分を、ボルト等の締結部材で各壁パネル１０の上端面に締結固定することにより、ユニット吊上げ部材５０を外壁ユニット１に装着することができる。なお、各壁パネル１０には、ボルトを締結するためのナット等が埋め込まれている。ユニット吊上げ部材５０は、外壁ユニット１の上部に着脱可能に装着され、外壁ユニット１を建物の躯体に取り付けた後で、外壁ユニット１から取り外されるものである。
【００３０】
本実施形態の外壁ユニット１にあっては、固定具３０が仮フレーム部材４０に重ねて配置され、締結部材２０が仮フレーム部材４０と固定具３０とを貫通し、仮フレーム部材４０が締結部材２０によって、壁パネル１０に対して着脱可能に固定（仮固定）されている。このような構成により、締結部材２０によって仮フレーム部材４０が壁パネル１０に強力に締結されるため、壁パネル１０と仮フレーム部材４０との間の変位、及び、複数の壁パネル１０相互間での上下方向及び左右方向の相対的な変位を抑制することができる。その結果、本実施形態の外壁ユニット１によれば、本発明によれば、外壁ユニット１を構成する複数の壁パネル１０を安定した状態で保持することができ、建物躯体への取付け作業の安全性及び効率性を高めることが可能となる。
【００３１】
なお、本実施形態の外壁ユニット１にあっては、締結孔４３を切欠き状とし、壁パネル１０から締結部材２０を取り外すことなく仮フレーム部材４０を引き抜くことができる構成としたことにより、仮フレーム部材４０の取付け及び取り外し作業を容易かつ安全に行うことができる。これにより、後述するように、外壁ユニット１の取付け作業の安全性をより高めることが可能となる。
【００３２】
以下に、外壁ユニット１を建物の躯体に取り付けて外壁を形成する方法について説明する。
【００３３】
先ず、ユニット吊上げ部材５０の支持板５２を各壁パネル１０の上端面に締結固定すること等により、外壁ユニット１の上部にユニット吊上げ部材５０を着脱可能に装着する。なお、固定具３０は、横向きに配置されている。つまり、係合板部３３が締結板部３１の左右方向（水平方向）に位置する向きに配置されている。固定具３０の向きは、図４に示す左向きに限らず、右向きでもよい。
【００３４】
次いで、図４に示すように、ユニット吊上げ部材５０及びワイヤー６０を用いて所定の高さに吊り上げた外壁ユニット１を、躯体の所定の位置に配置する。具体的には、例えば、梁７３（図７参照）に締結固定された断面Ｔ字状の壁受け部７１の外面に壁パネル１０の内面１１が当接し、また、支持金具７０の水平板７２上に壁パネル１０の下端面が載置されるように配置される。なお、壁パネル１０と支持金具７０との間には、水切り部材を設置することができる。水切り部材は、１つでも複数でもよく、材料も特に限定されず、樹脂製でも、アルミ、ステンレス鋼等の金属製でもよい。
【００３５】
上記のように外壁ユニット１を躯体の所定の位置に配置した後、図５に示すように、締結部材２０を緩めるとともに、固定具３０を回転（またはスライド）させて固定具３０を躯体に固定された壁受け部７１に対して係合させる。この時、締結部材２０は固定具３０が回転できる程度に緩めればよいので、取り外す必要がない。そのため、仮に振動や風等により壁パネル１０が揺れたとしても、支持金具７０から壁パネル１０が脱落してしまう虞がない。
【００３６】
そして、固定具３０を壁受け部７１に対して係合させた後に、締結部材２０を緩めた状態を維持しつつ、図６に示すように、仮フレーム部材４０を上方に引き抜いて取り外す。仮フレーム部材４０を壁パネル１０から取り外した後、締結部材２０を再び締め付けて壁パネル１０の下部を支持金具７０の壁受け部７１に締結固定する。
【００３７】
さらに、壁パネル１０の上部を建物の躯体に直接、又は間接的に締結固定した後、ユニット吊上げ部材５０をパネル１０から取り外すことで、壁パネル１０の取付けが完了する。具体的には、例えば図７に示すように、ボルト等の締結部材８１を用いて、Ｚ型の金具等の固定具８２を、躯体としての梁８３に固定された断面Ｌ字状の支持金具８４に締結固定する。
【００３８】
以上の通り、外壁ユニット１の取付け方法は、外壁ユニット１の上部にユニット吊上げ部材５０を着脱可能に装着するステップと、ユニット吊上げ部材５０を用いて所定の高さに吊り上げた外壁ユニット１を、躯体の所定の位置に配置するステップと、締結部材２０を緩めるとともに、固定具３０を回転またはスライドさせて固定具３０を躯体に固定された壁受け部７１に対して係合させるステップと、固定具３０を壁受け部７１に対して係合させた後に、締結部材２０を緩めた状態を維持しつつ、仮フレーム部材４０を上方に引き抜いて取り外すステップと、締結部材２０を再び締め付けるステップと、を含む。
【００３９】
本実施形態における外壁ユニット１の取付け方法にあっては、壁パネル１０から締結部材２０を取り外すことなく、固定具３０を壁受け部７１に係合させ、また、仮フレーム部材４０のみを取り外すことができる。
【００４０】
したがって、本実施形態の外壁ユニット１の取付け方法によれば、外壁ユニット１を構成する複数の壁パネル１０が常に少なくとも仮フレーム部材４０及び壁受け部７１の何れかによって支持されるため、例えば、取付け作業の過程で、振動や風等により壁パネル１０が揺れたとしても、吊り上げた壁パネル１０が落下したり、支持金具７０から壁パネル１０が脱落して落下したりすることを確実に防止することができる。
【００４１】
また、壁パネル１０を躯体に取り付けた後は、仮フレーム部材４０が取り外されるため、当該仮フレーム部材４０が設備配管配線等の障害となったり、熱橋となって断熱性を低下させてしまったりする虞もない。
【００４２】
以下に、本発明の他の実施形態について説明する。図８は、窓等の開口部１０１を有する外壁ユニット１００を示している。外壁ユニット１００は、開口部１０１の左右両側に位置する壁パネルとしての２枚の帳壁１０２と、開口部１０１の上方に位置し、２枚の帳壁１０２の間で左右に連接される壁パネルとしての２枚の小壁１０３と、開口部１０１の下方に位置し、２枚の帳壁１０２の間で左右に連接される壁パネルとしての２枚の腰壁１０４と、を備える。また、外壁ユニット１００は、開口部１０１を取り囲む開口枠部１０５と、開口枠部１０５を固定する支持フレーム１０６とを備える。
【００４３】
外壁ユニット１００は、図１に示す外壁ユニット１と共通の固定具３０及び仮フレーム部材４０を備える。また、先の実施形態の外壁ユニット１と同様に、重ねて配置された固定具３０及び仮フレーム部材４０は、締結部材２０によって、壁パネルとしての帳壁１０２及び腰壁１０４の下部に対して着脱可能に締結されている。締結部材２０は、帳壁１０２及び腰壁１０４それぞれの幅方向（左右方向）の中心となる位置に締結されている。
【００４４】
なお、小壁１０３及び腰壁１０４は、先の実施形態の壁パネル１０と同一の幅（左右方向の長さ）を有し、帳壁１０２は、壁パネル１０の半分の幅となるように形成されている。
【００４５】
また、小壁１０３の上部は、２枚の小壁１０３及び締結部材２０に跨るように配置される長尺板状のフレーム部材１０７に対して締結されている。また、小壁１０３の下部は、小壁１０３に締結されるＺ型の金具等の固定具１０８を用いて支持フレーム１０６に係合している。
【００４６】
腰壁１０４の上部は、腰壁１０４に締結されるＺ型の金具等の固定具１０９を用いて支持フレーム１０６に係合している。腰壁１０４の下部には、固定具３０及び仮フレーム部材４０が締結部材２０によって締結され、仮固定されている。
【００４７】
外壁ユニット１００は、先の実施形態と同様に、外壁ユニット１００の上部に装着されるユニット吊上げ部材５０を用いて、建物の躯体に取り付けることができる。すなわち、建物の躯体に対する外壁ユニット１００の取付け方法は、外壁ユニット１００の上部にユニット吊上げ部材５０を着脱可能に装着するステップと、ユニット吊上げ部材５０を用いて所定の高さに吊り上げた外壁ユニット１００を、躯体の所定の位置に配置するステップと、締結部材２０を緩めるとともに、固定具３０を回転またはスライドさせて固定具３０を躯体に固定された壁受け部７１に対して係合させるステップと、固定具３０を壁受け部７１に対して係合させた後に、締結部材２０を緩めた状態を維持しつつ、仮フレーム部材４０を上方に引き抜いて取り外すステップと、締結部材２０を再び締め付けるステップと、を含む。なお、仮フレーム部材４０及びユニット吊上げ部材５０は最終的に取り外される部材であり、開口枠部１０５、支持フレーム１０６及びフレーム部材１０７等は建物に残る部材である。
【００４８】
このように、開口部１０１を有する外壁ユニット１００においても、外壁ユニット１００を構成する複数の壁パネル（帳壁１０２、小壁１０３及び腰壁１０４）を安定した状態で保持することができ、建物躯体への取付け作業の安全性及び効率性を高めることが可能となる。また、帳壁１０２及び腰壁１０４から締結部材２０を取り外すことなく、固定具３０を壁受け部７１に係合させて、その後、仮フレーム部材４０を取り外すことができるので、取付け作業の安全性及び効率性をさらに高めることができる。
【００４９】
また、開口部１０１を有する外壁ユニット１００と、開口部を有していない先の実施形態の外壁ユニット１に、固定具３０及び仮フレーム部材４０等の共通の部材を使用することができるので、各部材の製造コストを低減することができる。
【００５０】
ここで、外壁ユニット１、１００を使用可能な建物一例について説明する。建物は、例えば、鉄骨造の骨組みを有する２階建ての住宅とすることができる。建物は、地盤に固定された基礎構造体と、当該基礎構造体上に固定される上部構造体と、で構成される。なお、建物は、戸建住宅または集合住宅であってもよいし、住宅以外の建築物であってもよい。
【００５１】
基礎構造体は、上部構造体の下側に位置し、その骨組みを支持するものであり、例えば、鉄筋コンクリート造の布基礎、又はベタ基礎とすることができる。上部構造体は、複数の柱と、柱間に架設された複数の梁とで構成される骨組み（躯体）と、この躯体の外周側に配置される外壁と、躯体を構成する梁上に配置される各階の床及び屋根と、を備える構成とすることができる。なお、骨組みを構成する部材は、予め規格化（標準化）され、予め工場にて製造されたのち建築現場に搬入されて組み立てられるものとすることができる。
【００５２】
建物は、建物の外周を取り囲む外壁を備える。外壁は、連接して配置される複数のパネル状の外壁材と、外壁材の室内側に配置される断熱材、及び内層材等で構成される。
【００５３】
本発明は、上述した実施形態の構成に限定されるものではなく、特許請求の範囲で記載された内容を逸脱しない範囲で、様々な構成により実現することが可能である。例えば、仮フレーム部材４０の締結孔４３の形状、数及び配置は適宜変更可能であり、例えば締結孔４３の形状は、切欠き状でなく円形等の貫通孔としてもよい。その場合、仮フレーム部材４０を壁パネル１０から取り外す際には、締結部材２０を壁パネル１０から取り外すことが必要となる。
【符号の説明】
【００５４】
１：外壁ユニット
１０：壁パネル
１１：壁パネルの内面
２０：締結部材
３０：固定具
３１：締結板部
３１ａ：貫通孔
３２：段差部
３３：係合板部
４０：仮フレーム部材
４１：鉛直板部
４２：1
４３：締結孔
４３ａ、４３ｂ：締結孔の内縁部
４４：シノ穴
４５：：連結孔
５０：ユニット吊上げ部材
５１：フック部
５２：支持板
６０：ワイヤー
７０：支持金具
７１：壁受け部
７２：水平板
７３：梁（躯体）
８１：締結部材
８２：固定具
８３：梁（躯体）
８４：支持金具
１００：外壁ユニット
１０１：開口部
１０２：帳壁
１０３：小壁
１０４：腰壁
１０５：開口枠部
１０６：支持フレーム
１０７：フレーム部材
１０８、１０９：固定具
【図１】
2020159024.tif 000003
【図２】
2020159024.tif 000004
【図３】
2020159024.tif 000005
【図４】
2020159024.tif 000006
【図５】
2020159024.tif 000007
【図６】
2020159024.tif 000008
【図７】
2020159024.tif 000009
【図８】
2020159024.tif 000010